(57)【要約】【課題】  印字中および排紙される記録媒体の巻き込みを常に防止し、印字中にロール紙残量が確認できる、開閉式排紙カバーに常設される巻込み防止部材を備えた画像形成装置を提供すること。【解決手段】  排紙される記録媒体の巻き込みを防止する巻込み防止部材４を、排紙カバー３を開けロール紙２の着脱時の邪魔にならない長さにし、開閉する排紙カバー３の巻き込み発生位置に巻き込み防止部材４を自重で垂れ下がるように常設する。これにより、ユーザーは特に巻込み防止部材４のことに注意をしなくても記録媒体の巻き込みは防止されるので、巻き込みによるロール紙２の傷やメディアの再搬送を防止することができる。また、ロール紙の残量確認も可能となる。【選択図】  図１
2006240846.tif 000002
【特許請求の範囲】
【請求項１】
インクを吐出する記録ヘッドと、この記録ヘッドを保持し用紙搬送方向と直行する方向に移動するキャリッジと、このキャリッジを走行させるレールを備えた画像形成装置において、排紙される前記記録媒体の巻き込みを防止する巻込み防止部材が、ロール紙をセットした場合にロール紙の巻き量が確認でき、ロール紙の外形よりも出ている長さの開閉式排紙カバー部の巻き込み発生位置に常設されていることを特徴とする画像形成装置。
【請求項２】
前記巻込み防止部材は、ロール紙着脱時に邪魔にならない長さに構成されていることを特徴とする請求項１に記載の画像形成装置。
【請求項３】
前記巻込み防止部材は、排紙カバーの開閉時も常に自重で垂れ下がっていることを特徴とする請求項1に記載の画像形成装置。
【請求項４】
前記巻込み防止部材は、1つまたは複数個取り付いていることを特徴とする請求項1に記載の画像形成装置。
【請求項５】
前記巻込み防止部材は、開閉式の排紙カバーを開けた場合に、紙搬送時の確認に邪魔にならない長さの排紙カバーに設置されていることを特徴とする請求項1に記載の画像形成装置。
【発明の詳細な説明】
【技術分野】
【０００１】
本発明は、記録媒体に画像を形成し、記録媒体を排紙する画像形成装置に関し、特に開閉式排紙カバー部に工夫を加えた画像形成装置に関する。
【背景技術】
【０００２】
一般に、従来の記録装置の１つである大型プリンタは、記録媒体である記録用メディアを給紙する給紙部、給紙されたメディアに画像を形成する記録部、記録されたメディアを排紙する排紙部が配設された構成となっている。このような大型インクジェットプリンタを使用する場合、ユーザーはメディアのロール紙を給紙部にセットしてロール紙の先端部をプラテン上に引き出し印字を行なう。
【０００３】
インクジェットプリンタは、搬送ローラを回転させてロール紙をプラテン上に送り出しながら、記録ヘッドからインク滴を吐出して画像をロール紙上に形成する。そして、印字後にロール紙をカットし、搬送ローラを回転させてロール紙でカットしたメディアを、排紙ガイド上を通して排紙する。
【０００４】
図５は従来の画像形成装置１の外観を斜視図で示したものである。図にあるように、巻き込み防止部材はセットされていなく、正面からのロール紙の確認を行なうことが出来ない。また、ロール紙の巻き込みを防止する部材が巻き込み発生個所に取り付けられている画像形成装置もある。（例えば特許文献１、特許文献2参照）
【特許文献１】特開２００１−１７１８７９号公報（第８頁、図８）
【特許文献２】特開２００３−２７６９２１号公報（第８頁、図１７）
【発明の開示】
【発明が解決しようとする課題】
【０００５】
上述したインクジェットプリンタで使用されるロール紙はカール（巻き癖）が付いているため、排紙ガイド上を通って排紙される際または印字中に巻き込みが発生し、ロール紙表面が傷ついたり、排紙カバーの下に給紙部がある場合には再度給紙してしまう恐れがある。このため、従来のインクジェットプリンタは、収納式の巻込み防止部材や給紙部を囲むカバーが取り付けられているが、収納式の巻き込み防止部材ではユーザーの不注意から使用時に収納されたままになってしまう事が多く、ロール紙の巻き込みを完全に防止することが困難であった。また、収納式構造であるため、複雑かつ高価なものとなっていた。給紙部を囲むカバーの場合では、コストが高くなるという問題があった。また、カバーの場合にはロール紙の残量を見ることは出来なかった。本発明は、排紙される記録媒体の巻き込みを常に防止することができ、ロール紙の残量が確認でき、ロール紙セット時の確認も可能な開閉式排紙カバーに巻込み防止部材を備えた画像形成装置を提供することにある。
【課題を解決するための手段】
【０００６】
上記目的達成のため、本発明の請求項１に係る画像形成装置では、インクを吐出する記録ヘッドと、この記録ヘッドを保持し用紙搬送方向と直行する方向に移動するキャリッジと、このキャリッジを走行させるレールを備えた画像形成装置において、排紙される前記記録媒体の巻き込みを防止する巻込み防止部材が、ロール紙をセットした場合にロール紙の巻き量が確認でき、ロール紙の外形よりも出ている長さの開閉式排紙カバー部の巻き込み発生位置に常設されていることを特徴としている。これにより、ユーザーは特に巻込み防止部材のことに注意を払わなくても記録媒体の巻き込みは防止されるので、巻き込みによる記録媒体の傷や記録媒体の再搬送を防止することが可能となる。
【０００７】
請求項２に係る発明では、請求項１に記載の画像形成装置において、前記巻込み防止部材は、ロール紙着脱時に邪魔にならない長さに構成されていることを特徴としている。これにより、排紙カバーを開ける場合に巻き込み防止部材を収納する必要がなくなった。
【０００８】
請求項３に係る発明では、請求項1に記載の画像形成装置において、前記巻込み防止部材は、排紙カバーの開閉時も常に自重で垂れ下がっていることを特徴としている。これにより、開閉式のカバーに巻き込み防止部材が取り付いていても常に垂れ下がっているため、収納タイプの巻き込み防止部材とは違いユーザーの出し忘れを防止可能となる。
【０００９】
請求項４に係る発明では、請求項１に記載の画像形成装置において、前記巻込み防止部材は、1つまたは複数個取り付いていることを特徴としている。これにより、記録媒体に適応したサイズの巻き込み防止部材を常設させているだけで巻き込みによる記録媒体の傷、再給紙を防止することが可能となる。
【００１０】
請求項４に係る発明では、請求項１に記載の画像形成装置において、開閉式の排紙カバーを開けた場合に、紙搬送時の確認に邪魔にならない長さの排紙カバーに設置されていることを特徴とする。これにより、ロール紙のセット時にセット位置まで送られているかどうかの確認を目ですることが可能となる。
【発明の効果】
【００１１】
本発明の画像形成装置によれば、ユーザーは特に巻込み防止部材のことに注意しなくても記録媒体の巻き込みは防止されるので、巻き込みによるロール紙の傷や、印字したメディアの再給紙を完全に防止することができる。
【００１２】
更に排紙される記録媒体の巻き込みを防止する巻込み防止部材を、ロール紙よりも排紙方向に出ている開閉式排紙カバーを開閉させロール紙の着脱の邪魔にならなく、紙搬送時の確認の邪魔にならない長さにし、開閉式排紙カバー部の巻き込み発生位置に自重で垂れ下がるように常設する。これにより、ユーザーは特に巻込み防止部材のことに注意をしなくても記録媒体の巻き込みは防止されるので、巻き込みによるロール紙の傷やメディアの再搬送を完全に防止することができ、カバーがないためにロール紙の残量を見ることができる。
【発明を実施するための最良の形態】
【００１３】
図1は画像形成装置１の外観を斜視図で示したものである。図のように、ロール紙２は排紙カバー３の下にセットされて、巻き込み防止部材４は排紙カバー３の先端に取り付けられ、排紙したメディアはバスケット５に収納される。
【００１４】
図2は排紙カバー３を開けた画像形成装置１の外観を斜視図で示したものである。図にあるように、排紙カバー３が開けられた場合でも、巻き込み防止部材４は自重で垂れ下がっている。また、巻き込み防止部材４はロール紙２の着脱時に邪魔にならない長さになっている。
【００１５】
図３は排紙カバー３を開け、ロール紙２セットした時の様子を斜視図で示したものである。図にあるように、排紙カバー３を開けた状態でロール紙２をセットした場合も目視確認する事が可能となっている。
【００１６】
図４はロール紙の搬送経路の断面図を示したものである。図のように、ロール紙２は搬送され、排紙カバー３を通り、排紙が行なわれる。この時、巻き込み防止部材４は、巻き込み発生位置である排紙カバー３の先端に常設されている。
【図面の簡単な説明】
【００１７】
【図１】画像形成装置の外観図
【図２】排紙カバーを開けた画像形成装置の外観図
【図３】排紙カバーを開けたロール紙セットの斜視図
【図４】ロール紙の搬送経路の断面図
【図５】従来の画像形成装置の外観図
【符号の説明】
【００１８】
１  画像形成装置
２  ロール紙
３  排紙カバー
４  巻き込み防止部材
５  バスケット
【図１】
2006240846.tif 000003
【図２】
2006240846.tif 000004
【図３】
2006240846.tif 000005
【図４】
2006240846.tif 000006
【図５】
2006240846.tif 000007